(57)【要約】【課題】複数の光束を共通の偏向器で異なる被走査面へ導光する光走査装置において、光走査装置の初期調整を簡素化するために、光学箱の上面から走査レンズにアクセスできるよう、各走査レンズの偏向面に垂直な面（走査面）への投影像が、他の光学部材及び光学ハウジングの部材に干渉しないように配置することにより、走査レンズを光学箱上面から調整し、調整タクトが短縮可能となるため低価格な光走査装置を提供できる。【解決手段】外部機器から入力したコードデータを画像信号に変換して前記走査光学装置に入力せしめるプリンタコントローラとを備えたことを特徴とする。【選択図】        なし【特許請求の範囲】
【請求項１】
複数の光源からの光束を同一の偏向器で偏向し、異なる被走査面を略等速走査するための複数の光学素子を有し、
前記光学素子は、同一の光学ハウジングに保持されており、光学素子の光学ハウジング上面又は下面への正射影像が他の光学部材と干渉しないように前記光学素子を配置したことを特徴とする光走査装置。
【請求項２】
前記正射影が他の光学部材と干渉している領域Ｓ、干渉していない領域をＶとした時、Ｓ／Ｖ＜０．２を満たす請求項１記載の光走査装置。
【請求項３】
最も偏向器側の光学素子は、２以上の異なる被走査面へ向かう光束が共通に通過する請求項１記載の光走査装置。
【請求項４】
前記光学素子は、プラスチックで構成されていることを特徴とする請求項１記載の光走査装置。
【請求項５】
前記光源手段は、モノリシックマルチビームレーザーで構成されていることを特徴とする請求項１記載の光走査装置。
【請求項６】
請求項１〜請求項５のいずれか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えた画像形成装置。
【請求項７】
請求項１〜請求項５のいずれか一項に記載の走査光学装置と、外部機器から入力したコードデータを画像信号に変換して前記走査光学装置に入力せしめるプリンタコントローラとを備えた画像形成装置。
【請求項８】
複数の光源からの光束を同一の偏向器で偏向し、異なる被走査面を略等速走査するための複数の走査レンズを有し、
前記複数の光学素子が、同一の光学ハウジングに保持されている光走査装置において、
所望の光学特性を得るために複数の光学素子を同時に且つ独立に一方向から調整することを特徴とする光走査装置の調整方法。
【請求項９】
複数の被走査面上での光学特性を同時に測定する測定手段と、前記複数の光学素子を同時に調整する調整手段を有することを特徴とする請求項８記載の調整方法。
【請求項１０】
前記測定手段は、照射位置、横倍率、走査線の直進性の光学特性を測定する事を特徴とする請求項  ８〜請求項  ９記載の調整方法。
【請求項１１】
前記光学素子の調整を、一平面内で調整することを特徴とする請求項８〜請求項１０記載の調整方法。
【請求項１２】
請求項８〜請求項１１のいずれか一項に記載で調整された走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えた画像形成装置。
【請求項１３】
請求項８〜請求項１１のいずれか一項に記載で調整された走査光学装置と、外部機器から入力したコードデータを画像信号に変換して前記走査光学装置に入力せしめるプリンタコントローラとを備えた画像形成装置。
【発明の詳細な説明】
【０００１】
【発明の属する技術分野】
本発明はレーザープリンタ、デジタル複写機等の画像形成装置に用いられる光走査装置に関するものである。
【０００２】
【従来の技術】
従来、レーザビームプリンターやデジタル複写機等の画像形成装置に用いられている光走査装置は、光源から射出された光束を入射光学手段により偏向素子に導光し、該偏向素子により偏向された光束を走査光学手段により被走査面である感光ドラム面上にスポット状に結像させ、該光束で感光ドラム面上を光走査している。
【０００３】
このような光走査装置においては、光源から射出した光束をコリメータレンズ等で略平行光に変換し、倒れ補正を行うために略平行光に変換された光束を、シリンドリカルレンズで偏向面近傍に線像を形成している。偏向器の偏向面で偏向された光束は、走査レンズで感光体ドラム面上を略等速で走査し、スポットを形成する。
【０００４】
図８において、１ａ、１ｂ、１ｃ、１ｄは光源手段であり、例えば半導体レーザーより成っている。２ａ、２ｂ、２ｃ、２ｄはシリンドリカルレンズであり、副走査方向のみに所定の屈折力を有している。光源手段１、そしてシリンドリカルレンズ２等の各要素は入射光学手段５１の一要素を構成している。
【０００５】
３は偏向素子としての光偏向器であり、例えば回転多面鏡より成り、モーター等の駆動手段（不図示）により図中矢印Ａ方向に一定速度で回転している。１１ａ、１１ｂはｆθ特性を有する３枚のｆθレンズであり、副走査断面内において光偏向器３の偏向面３ａ、３ｂ近傍と被走査面としての感光ドラム面１００ａ、１００ｂ、１００ｃ、１００ｄ近傍との間を共役関係にすることにより倒れ補正機能を有している（特開平１１−１２５７８４参照）。
【０００６】
また、２色以上のカラー画像を形成するために、単一の偏向器に複数光束を入射させ、偏向器で偏向された複数の光束をそれぞれ、異なる被走査面へ導光することで、偏向器の数を増加させないようにしている。
【０００７】
【発明が解決しようとする課題】
上記従来の光走査装置の組み立てでは、高精度な調整が要求されるため、調整時間が長くなるという問題があった。例えば、図  ８に示す従来の光走査装置では、走査ユニット単体で被走査面上のスポット位置を調整するために各色に対応した被走査面相当位置に不図示ＣＣＤカメラを配置し、最もドラム面側の折り返しミラーの角度を調整することにより調整を行っている。１つのドラム面相当位置での調整が終了した後に、次のドラム面相当位置にＣＣＤカメラを移動させ、同様の調整を繰り返すことにより所望の光学特性を得ている。このスポット位置の調整精度は通常相対差数十μｍで行うため、折り返しミラーの角度を精密に合わせるためのメカ機構が必要となることや、調整時間が長くなり、コストアップの要因となっている。又、出荷時にこれらの調整を行う場合には、光学素子の上面又は下面（図中左又は右）への正射影像が重なっているため、折り返しミラーにアクセスするための調整手段が、他の光学部材である折り返しミラーと干渉するために、ユニットの上面（図中左側）から調整手段でアクセスすることが出来ず、横（紙面奥手前）からアクセスすることになり調整工具が大型化することや、調整作業が煩雑になるために調整精度が悪くなることと調整時間が長くなるという問題を有している。ここでは、折り返しミラーの調整例を示したが、これらの調整は折り返しミラーのみならず、ｆθレンズ等の他の光学部材の調整を行う場合も同様である。
【０００８】
本発明は、複数の光束を共通の偏向器で異なる被走査面へ導光する光走査装置において、光走査装置の出荷時初期調整を簡素化し、調整時間を短縮するために、各走査レンズの偏向面に垂直な面（走査面）への光学部材の投影像が、他の光学部材及び光学ハウジングの部材に干渉しないように配置することにより、走査レンズを光学箱上面又は下面の一方向から調整し、高精度な調整と調整タクトが短縮可能となる。又、調整時に複数の被走査面の光学特性を同時に測定し、調整することにより低価格な光走査装置を提供できる。
【０００９】
【課題を解決するための手段】
（１−１）
複数の光源からの光束を同一の偏向器で偏向し、異なる被走査面を略等速走査するための複数の光学素子を有し、
前記光学素子は、同一の光学ハウジングに保持されており、光学素子の光学ハウジング上面又は下面への正射影像が他の光学部材と干渉しないように前記光学素子を配置したことを特徴とすることや
（１−２）
前記正射影が他の光学部材と干渉している領域Ｓ、干渉していない領域をＶとした時、Ｓ／Ｖ＜０．２を満たすことや、
（１−３）
最も偏向器側の光学素子は、２以上の異なる被走査面へ向かう光束が共通に通過することを特徴とすることや、
（１−４）
前記光学素子は、プラスチックで構成されていることを特徴とすることや、
（１−５）
前記光源手段は、モノリシックマルチビームレーザーで構成されていることを特徴とする。
【００１０】
（１−６）
（１−１）〜（１−５）のいずれか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えることや、
（１−７）
（１−１）〜（１−５）のいずれか一項に記載の走査光学装置と、外部機器から入力したコードデータを画像信号に変換して前記走査光学装置に入力せしめるプリンタコントローラとを備えたことを特徴とする。
【００１１】
（２−１）
複数の光源からの光束を同一の偏向器で偏向し、異なる被走査面を略等速走査するための複数の走査レンズを有し、
前記複数の光学素子が、同一の光学ハウジングに保持されている光走査装置において、
所望の光学特性を得るために複数の光学素子を同時に且つ独立に一方向から調整することを特徴とすることや、
（２−２）
複数の被走査面上での光学特性を同時に測定する測定手段と、前記複数の光学素子を同時に調整する調整手段を有することを特徴とするや、
（２−３）
前記測定手段は、照射位置、横倍率、走査線の直進性の光学特性を測定する事を特徴とすることや、
（２−４）
前記光学素子の調整を、一平面内で調整することを特徴とすることや、
（２−５）
（２−１）〜（２−４）のいずれか一項に記載で調整された走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えたことや、
（２−６）
（２−１）〜（２−４）のいずれか一項に記載で調整された走査光学装置と、外部機器から入力したコードデータを画像信号に変換して前記走査光学装置に入力せしめるプリンタコントローラとを備えたことを特徴とする。
【００１２】
【発明の実施の形態】
（実施例１）
図１は、本発明の光学系の副走査断面図である。又、図２は、本発明の光装置内の光学系主走査断面展開図である。
【００１３】
９１は半導体レーザー等の光源、９２は該光源からの発散光を略平行光束に変換するコリメータレンズである。
【００１４】
９３は開口絞りで、通過光束の径を整えている。
【００１５】
９４は第二の光学系としてのシリンドリカルレンズであり、副走査方にのみ所定の屈折力を有しており、絞り９３を通過した後は副走査断面内で偏向器の偏向面にほぼ線像として結像している。
【００１６】
９５は偏向器としてのポリゴンミラーであり、矢印の方向に等速度で回転している。
【００１７】
９６は第三の光学系としてのｆθレンズであり、９６ａ、９６ｂ共に主走査面内で非球面形状のアナモフィックレンズで構成しており、偏向器９５により偏向された光束を被走査面としての感光ドラム面上に結像させ、かつ、偏向器の面倒れを補正している。
【００１８】
防塵ガラス９８は、光走査装置（光学箱）内部にトナー等のごみが入るのを防止するために、光学箱の蓋に取り付けられている。
【００１９】
図３は、本発明の光装置内の光学系斜視図である。
【００２０】
９１は半導体レーザー等の光源、９２は該光源からの発散光を略平行光束に変換するコリメータレンズである。
【００２１】
９３は開口絞りで、通過光束の径を整えている。
【００２２】
９４は第二の光学系としてのシリンドリカルレンズであり、副走査方にのみ所定の屈折力を有しており、シリンドリカルレンズ９４を通過した後は副走査断面内で偏向器の偏向面にほぼ線像として結像している。複数の光源からの光束はそれぞれが異なる被走査面を走査するために、副走査断面内で角度２．２ｄｅｇを有して偏向面に入射している。又、コリメータレンズ、開口絞り、シリンドリカルレンズの光軸は、全て主光線に対して直交するように配置されている。つまり副走査断面内で２．２ｄｅｇ．傾いている。
【００２３】
偏向器９５で偏向された光束は、第三の光学系としてのｆθレンズ９６ａ、９６ｂで被走査面としての感光ドラム面上に結像させる。
【００２４】
尚、本実施形態のＦθレンズ９６ａ、９６ｂは、図１及び図３に示す様に、図２の光学系を複数用いて構成しているが、光学特性はすべて同一である。
【００２５】
本実施形態におけるｆθレンズ９６は次式の関数を用いて表している。
【００２６】
それぞれｆθレンズと光軸との交点を原点とし、
図２に示すように光軸に対して走査開始側と走査終了側で、光軸をＸ軸、主走査面内において光軸と直交する方向をＹ軸、副走査面内で光軸と直交する方向をｚ軸とし、
以下の連続関数で表せる。
走査開始側
【外１】
2005055471.tif 000002
【００２７】
走査終了側
【外２】
2005055471.tif 000003
【００２８】
Ｒは曲率半径、Ｋ、Ｂ４、Ｂ６、Ｂ８、Ｂ１０は非球面係数である。
【００２９】
本実施例では、主走査方向の形状を光軸に対し、対称に構成している、即ち、走査開始側と走査終了側の非球面係数を一致させている。
【００３０】
また、副走査方向は、光軸に対して走査開始側と走査終了側で、ｆθレンズ９６のうち少なくとも１面の副走査面（光軸を含み主走査面と直交する面）内の曲率を、該レンズの有効部内において連続的に変化させており、主走査方向形状を光軸に対して対称に構成している。
【００３１】
副走査方向の形状は、光軸に対して走査開始側と走査終了側で、光軸をＸ軸、主走査面内において光軸と直交する方向をＹ軸、副走査面内で光軸と直交する方向をｚ軸とし、
以下の連続関数で表せる。
走査開始側
【外３】
2005055471.tif 000004
【００３２】
走査終了側
【外４】
2005055471.tif 000005
【００３３】
（ｒ’は副走査方向曲率半径、Ｄ２、Ｄ４、Ｄ６、Ｄ８  Ｄ１０は係数）
係数のサフィックスｓは走査開始側、ｅは走査終了側を表している。
【００３４】
副走査方向曲率半径とは、主走査方向の形状（母線）に直交する断面内における曲率半径である。
【００３５】
本実施例では、副走査方向のピント補正（像面湾曲補正）とｆθレンズにおける副走査方向の倍率の一様性（スポット径の像高による変動）を補正するために、最も被走査側のレンズ９６ｂ（Ｇ２）の被走査面側の面（ｒ４面）の副走査曲率半径を連続的に変化させている。通常、副走査曲率半径を少なくとも２面変化させて、両者を補正しているが、本実施形態では、主走査方向の形状で倍率の一様性が補正されるように構成しているため、一面のみ変化させることで像面湾曲を補正している。
【００３６】
次に本発明の目的を達成するための手段と効果について説明する。
【００３７】
本実施例のｆθレンズ９６は、プラスチックレンズで作製されており、成形上有利なように主走査方向の形状が、走査開始側と終了側で対象に構成されている。
更に、副走査方向の曲率半径は少なくとも１面が連続的に変化しており、像面湾曲、波面収差、スポット径の変動を補正している。さらに、本実施形態では、副走査方向に斜入射で光束が偏向面へ  入射しているために発生する走査線湾曲と、波面収差の劣化をＧ２レンズの偏芯（ｚ方向に１．４５６ｍｍシフト）により補正している。
【００３８】
本発明の光走査走査装置は、異なる２方向から同一角度で偏向面の略同一位置に入射した２つの光束を、レンズの光軸を挟み対称な位置を光束が通過するように最も偏向器側のレンズ９６ａ（Ｇ１）を配置している。複数の入射光束は、偏向面の副走査方向の略同一位置で偏向されるため、偏向面を低く構成できる。また、Ｇ１レンズ９６ａは、副走査方向の曲率半径が略平面であり、副走査方向のパワーをほとんど有していないため、光束が副走査方向の軸外を通過することによる光学性能の劣化を防止している。
【００３９】
図１において下方から斜め上方に偏向面へ入射した光束は、Ｇ１レンズ９６ａを通過したあと、第一の折り返しミラー９９ａで反射され、最も被走査面側のレンズ９６ｂ（Ｇ２）を通過し、第二の折り返しミラー９９ｂで反射し、平板で構成された防塵ガラス９８を通過した後被走査面としての感光ドラム面上を走査する。また、図１において上方から斜め下方に入射した光束は、Ｇ１レンズ９６ａを通過したあと、Ｇ２レンズ９６ｂを通過し、第３の折り返しミラー１００ａで反射され、被走査面としてのドラム面９７を走査する。
【００４０】
本実施形態のｆθレンズ９６は、成形上有利になるように主走査方向の形状を被走査面９７の垂直二等分線に対して対称に構成し、最も偏向器側のレンズは、副走査方向の曲率半径が略平面であり、副走査方向のパワーをほとんど有していない。副走査方向の結像性能は、最も被走査面側のレンズの最も被走査側の面のみで補正している。
【００４１】
次に、本光走査装置の光学系による調整について説明する。本実施形態における光走査装置は、以下の調整を出荷時に行うことにより、良好な光学特性を得ている。
【００４２】
主走査方向倍率誤差の非対称性補正（画像伸縮の非対称性補正）
走査線高さ補正（副走査方向スポット高さ補正）
走査線傾き補正  （副走査方向傾き補正）
走査線湾曲補正  （副走査方向曲がり補正）
上記、１〜３は、図１に示す最も被走査面側のレンズ９６ｂ（Ｇ２レンズ）で行い、４は、最も被走査面側の折り返しミラー９９ｂ、１００ａで行っている。１はＧ２レンズをＹ方向に、２はＺ方向に偏芯（シフト）させ、３はＸ軸周りに回転（チルト）させることにより補正している。
【００４３】
又、４は、図６に示すように折り返しミラーの母線を反射面の法線方向に撓ませることにより補正している。
【００４４】
１〜３の調整はＧ２レンズをＹ−Ｚ面内でシフト又はチルトさせているため、レンズをＸ方向に突き当てながら調整できるため、レンズの姿勢が安定し、調整精度を高くできるメリットを有する。尚、レンズ調整完了後は、紫外線硬化樹脂により光学箱に接着している。
【００４５】
上記全ての調整は、被走査面相当位置でのスポット位置を図５の受光素子５１ａ、５１ｂ、５１ｃ５１ｄにより測定する測定手段５０と、測定手段５０の測定値に基づいて不図示の調整手段により光学箱上面から調整を行っている。測定手段５０の受光素子５１ａ、５１ｂ、５１ｃ、５１ｄは、２次元のエリアＣＣＤを用いており、演算手段により演算された出力結果は、スポット位置を１０−６ｍ以下のオーダーで得ることができる。又、不図示の調整手段は、光学箱上面（モータ座面の上方）よりｆθレンズ近傍まで下降するアームを有しており、Ｇ２レンズを自動でハンドリングし所望の方向へ所望量移動させるメカ機構と、図  ６に示すように、折り返しミラーの反射面法線と平行にビスで押圧し、撓ませるためのメカ部材を有している。
【００４６】
上述の調整を短時間で効率よく行うために、
複数の被走査面位置でのスポット位置を同時に測定し、調整する
光学部品に一方向からアクセスする
ことが、必要であり、上記を達成するために本実施例では４色に対応する被走査面９７全てを同時に測定、調整すると共に、図４に示すように光学部品の上面（図１の上側に対応）への正射影像が、下式を満足するようにレンズ及びミラーを配置している。
【００４７】
０≦Ｓ／Ｖ＜０．２
Ｓ：他の光学部材と干渉している領域の面積
Ｖ：他の光学部材と干渉していない領域の面積
上式を満足しない場合は、光学部品同士の重なりが大きくなり、上面又は下面の一方向から調整することが困難になる。
【００４８】
また、本実施形態では、ｆθレンズ９６は二枚で構成されているが、ｆθレンズは、一枚又は三枚以上であってもよく、さらに、回折素子等の光学素子を用いても全く同様の効果を得ることができる。さらに、光源９１にシングルビームレーザーを用いているが、２以上の複数の発光点を有するマルチビームレーザーを用いても同様の効果が得られる。又、測定手段の受光素子として、２次元ＣＣＤを用いたが、１次元のラインＣＣＤ等を用いてもよく、スポット位置を精度よく測定可能な構成であればこの限りではない。さらに、調整手段もレンズをハンドリングすることにより調整を行ったが、レンズの姿勢を変えることが可能な構成であればその他の方法を用いても良いことは自明である。
【００４９】
以上のように、複数の光束を共通の偏向器で異なる被走査面へ導光する光走査装置において、光走査装置の出荷時初期調整を簡素化し、調整時間を短縮するために、各走査レンズの偏向面に垂直な面（走査面）への光学部材の投影像が、他の光学部材及び光学ハウジングの部材に干渉しないように配置することにより、走査レンズを光学箱上面又は下面の一方向から調整し、高精度な調整と調整タクトが短縮可能となる。又、調整時に複数の被走査面の光学特性を同時且つ独立に測定し、調整することにより低価格な光走査装置を提供できる。
【００５０】
（実施例２）
本実施形態の実施形態１と異なる点は、測定手段及び、調整手段の構成であり、その他の構成及び効果は、実施形態１と同様である。
【００５１】
本実施形態の測定手段の構成を図７に示す。測定手段７０は、被走査面相当位置でのスポット位置を受光素子７１ａ、７１ｂにより測定する測定手段と、測定手段７０の測定値に基づいて不図示の調整手段により光学箱上面から調整を行っている。測定手段の受光素子７１ａ、７１ｂは、２次元のエリアＣＣＤを用いており、２つの被走査面を同時に測定可能である。これは、被走査面の間隔（ピッチ）が狭い場合に有利な構成となっている。測定データは、不図示の演算手段により演算され、出力結果はスポット位置の座標を１０−６ｍ以下のオーダーで得ることができる。又、不図示の調整手段は、光学箱上面（モータ座面の上方）よりＧ２レンズ９６ｂ近傍まで下降するアームを有しており、Ｇ２レンズ９６ｂを自動でハンドリングし所望の方向へ所望量移動させるメカ機構を有している。アームは、測定手段の受光素子７１ａ、７１ｂと同数（２つ）有している。本実施形態では、４つの被走査面を有するため、調整手段を図中左右方向に移動させて調整を行っている。調整手段及び測定手段は、被走査面ごとに独立に動作するため、測定及び、調整時間を短縮できると共に、被走査面の間隔が狭い走査装置の調整を行うことができる。
【００５２】
以上のように、本実施形態では、測定及び調整を２つの被走査面で同時、且つ独立に行い、走査レンズを光学箱上面から調整することにより、被走査面の間隔が狭い光走査装置の調整において、測定、及び調整時間を短縮することが可能となり、低価格な光走査装置を提供できる。
【００５３】
（実施例３）
本実施形態の実施形態１と異なる点は、調整手段の構成であり、その他の構成及び効果は、実施形態１と同様である。
【００５４】
本実施形態の測定手段は、被走査面相当位置でのスポット位置を図５の受光素子５１ａ、５１ｂ、５１ｃ、５１ｄにより測定する測定手段５０と、測定手段の測定値に基づいて不図示の調整手段により光学箱上面から調整を行っている。測定手段の受光素子５１ａ、５１ｂ、５１ｃ、５１ｄは、２次元のエリアＣＣＤを用いており、４つの被走査面を同時に測定している。測定データは、不図示の演算手段により演算され、出力結果はスポット位置の座標を１０−６ｍ以下のオーダーで得ることができる。
【００５５】
不図示の調整手段は光学箱下面（測定手段の対向面）側から図中上方に移動可能なアームを有しており、調整時はＧ２レンズ９６ｂ近傍にアームが移動し、レンズをハンドリングして調整を行う。アームは測定手段の受光素子５１ａ、５１ｂ、５１ｃ、５１ｄと同数（４つ）有しており、本実施形態では、４つのアームで調整を行っている。調整時は、演算手段の出力データを元に、Ｇ２レンズ９６ｂをＹ−Ｚ面内でシフト又は／且つチルトさせ、良好な光学特性を得た後に、光学箱と接着する。本実施形態では測定手段と、調整手段を対向させて配置することにより測定手段と調整手段のメカ的干渉を防止することが出来る。
【００５６】
調整手段及び測定手段は、被走査面ごとに独立に動作するため、測定及び、調整時間を大幅に短縮できる。
【００５７】
以上のように本実施形態では、測定及び調整を４つの被走査面で同時且つ独立に行い、測定を上面から行い、調整を下面のみから行うことにより、測定装置と調整装置の干渉を防止し、測定及び調整時間を大幅に短縮することが可能となり、低価格な光走査装置を提供できる。
【００５８】
（画像形成装置）
図９は、本発明の画像形成装置の実施形態を示す副走査方向の要部断面図である。図９において、図９において、６０はカラー画像形成装置、１１は各々実施形態１〜３に示したいずれかの構成を有する走査光学装置、２１，２２，２３，２４は各々像担持体としての感光ドラム、３１，３２，３３，３４は各々現像器、５１は搬送ベルトである。
【００５９】
図において、カラー画像形成装置６０には、パーソナルコンピュータ等の外部機器５２からＲ（レッド）、Ｇ（グリーン）、Ｂ（ブルー）の各色信号が入力する。これらの色信号は、装置内のプリンタコントローラ５３によって、Ｃ（シアン），Ｍ（マゼンタ），Ｙ（イエロー）、Ｂ（ブラック）の各画像データ（ドットデータ）に変換される。これらの画像データは、それぞれ走査光学装置１１に入力される。そして、これらの走査光学装置からは、各画像データに応じて変調された光ビーム４１，４２，４３，４４が出射され、これらの光ビームによって感光ドラム２１，２２，２３，２４の感光面が主走査方向に走査される。
【００６０】
本実施態様におけるカラー画像形成装置は１つの走査光学装置（１１）から、各Ｃ（シアン），Ｍ（マゼンタ），Ｙ（イエロー）、Ｂ（ブラック）の各色に対応した光線を射出し、感光ドラム２１，２２，２３，２４面上に画像信号（画像情報）を記録し、カラー画像を高速に印字するものである。
【００６１】
本実施態様におけるカラー画像形成装置は上述の如く１つの走査光学装置１１により各々の画像データに基づいた光ビームを用いて各色の潜像を各々対応する感光ドラム２１，２２，２３，２４面上に形成している。その後、記録材に多重転写して１枚のフルカラー画像を形成している。
【００６２】
前記外部機器５２としては、例えばＣＣＤセンサを備えたカラー画像読取装置が用いられても良い。この場合には、このカラー画像読取装置と、カラー画像形成装置６０とで、カラーデジタル複写機が構成される。
【００６３】
【発明の効果】
本発明によれば前述の如く、複数の光束を共通の偏向器で異なる被走査面へ導光する光走査装置において、光走査装置の出荷時初期調整を簡素化し、調整時間を短縮するために、各走査レンズの偏向面に垂直な面（走査面）への光学部材の投影像が、他の光学部材及び光学ハウジングの部材に干渉しないように配置することにより、走査レンズを光学箱上面又は下面の一方向から調整し、高精度な調整と調整タクトが短縮可能となる。又、調整時に複数の被走査面の光学特性を同時且つ独立に測定し、調整することにより低価格な光走査装置を提供できる。
【図面の簡単な説明】
【図１】本実施例１の光走査装置における副走査断面図。
【図２】本実施例１の光走査装置における斜視図。
【図３】本実施例１の光走査装置における上面への正射影像。
【図４】本実施例１の測定手段を示す図。
【図５】被走査面相当位置でのスポット位置を示す図。
【図６】本実施例１の折り返しミラーの調整手段を示す図。
【図７】本実施例２の測定手段を示す図。
【図８】従来の光走査装置。
【図９】本発明の画像形成装置。
【図１】
2005055471.tif 000006
【図２】
2005055471.tif 000007
【図３】
2005055471.tif 000008
【図４】
2005055471.tif 000009
【図５】
2005055471.tif 000010
【図６】
2005055471.tif 000011
【図７】
2005055471.tif 000012
【図８】
2005055471.tif 000013
【図９】
2005055471.tif 000014